【手続補正書】
【提出日】令和2年7月3日(2020.7.3)
【手続補正１】
【補正対象書類名】特許請求の範囲
【補正対象項目名】全文
【補正方法】変更
【補正の内容】
【特許請求の範囲】
【請求項１】
支持装置を備える差動インパルスコンベヤ（７０）であって、
前記支持装置は、
アパーチャ（３４）が貫通している閉鎖部材（２６）と、第一直径および第一の複数の歯（３５）を有するピニオンギヤ（３０）と、前記閉鎖部材（２６）の前記アパーチャ（３４）を貫通しかつ近位端（３１）が前記閉鎖部材（２６）の第一側でピニオンギヤ（３０）に接続されたピニオンシャフト（３３）と、前記閉鎖部材（２６）の前記第一側とは反対の第二側で前記ピニオンシャフト（３３）の遠位端に接続されたアーム部材（７９）と、前記アーム部材（７９）に接続されかつ前記ピニオンシャフト（３３）と略平行に、しかし前記ピニオンシャフト（３３）との整列位置から偏位して延びる支持部材（１３２）とを有し、前記偏位が前記支持部材（１３２）の軸線（３７）を前記ピニオンギヤ（３０）の外周上の一点（３７Ａ）と整列させるのに充分であるように構成された、第一本体（２０）と、
前記第一直径の二倍である第二直径の内部リングギヤ（１０）がある内部キャビティ（１７）を有する第二本体（１１）であって、前記内部リングギヤ（１０）が前記内部リングギヤ（１０）の外周に第二の複数の歯（１５）を有し、前記第二の複数の歯（１５）が前記ピニオンギヤ（３０）の前記第一の複数の歯（３５）と係合するように適応され、かつ前記第二の複数の歯の数が第一の複数の歯（３５）の数の二倍であり、前記第二本体（１１）の前記内部キャビティ（１７）が開口を有するように構成された、第二本体（１１）と、
前記ピニオンシャフト（３３）が通過する前記アパーチャ（３４）を囲む前記閉鎖部材（２６）の突出部（２７）であって、半径方向外壁を有する突出部（２７）と、
前記閉鎖部材（２６）が前記第二本体（１１）の前記内部キャビティ（１７）の前記開口と係合して、前記内部キャビティ（１７）を閉鎖し、かつ前記ピニオンシャフト（３３）の前記第一の複数の歯（３５）を前記内部リングギヤ（１０）の前記第二の複数の歯（１５）と係合する状態に配置したとき、前記閉鎖部材（２６）の前記突出部（２７）を受容しかつ包囲するボアを有する軸受と、を備え、
前記ピニオンギヤ（３０）が前記内部リングギヤ（１０）との係合を維持しながら前記ピニオンシャフト（３３）の軸線（３２）を中心に自転しながら、前記ピニオンギヤ（３０）の軸線が前記第二本体（１１）の中心軸線（１２）を中心に公転すると、前記ピニオンギヤ（３０）の前記外周上の前記点（３７Ａ）と整列する前記支持部材（１３２）が直線経路に沿って往復動する、差動インパルスコンベヤ。
【請求項２】
前記第二本体（１１）の前記内部キャビティ（１７）は、前記閉鎖部材（２６）によって閉鎖される開口を有する、請求項１に記載の差動インパルスコンベヤ。
【請求項３】
前記ピニオンシャフト（３３）を安定化し、かつ前記ピニオンシャフト（３３）と前記閉鎖部材（２６）との間の回転摩擦を低減させるように、前記ピニオンシャフト（３３）と前記閉鎖部材（２６）の前記アパーチャ（３４）との中間に配置された軸受（３８）をさらに備えた、請求項１に記載の差動インパルスコンベヤ。
【請求項４】
前記第二本体（１１）の前記内部キャビティ（１７）内に配置されたある量の潤滑剤をさらに備え、前記第一本体（２０）は前記量の潤滑剤を収容するように第二本体（１１）を封止する、請求項３に記載の差動インパルスコンベヤ。
【請求項５】
前記第二本体（１１）はさらに、潤滑剤を収容するように前記内部リングギヤ（１０）に近接して配置された底部（１１Ｃ）を有する、請求項１に記載の差動インパルスコンベヤ。
【請求項６】
前記第二本体（１１）はさらに、前記第一本体（２０）の一部分と係合してそれを支持し、前記装置によって支持される差動インパルスコンベヤ（７０）を支持するように、前記内部リングギヤ（１０）の周囲に配置されたランディング（１９８）を有する、請求項１に記載の差動インパルスコンベヤ。
【請求項７】
前記装置によって支持される差動インパルスコンベヤ（７０）の対応する構造（７４）と係合するように、前記第一本体（２０）の前記支持部材（１３２）に結合された遠位ロードプレート（７７）をさらに備えた、請求項１に記載の差動インパルスコンベヤ。
【請求項８】
前記内部リングギヤ（１０）上の第一マーク（１０Ａ）と、
前記ピニオンギヤ（３０）上の第二マーク（３０Ａ）と、をさらに備え、
前記ピニオンシャフト（３３）および前記ピニオンギヤ（３０）を持つ第一本体（２０）を前記内部リングギヤ（１０）を持つ前記第二本体（１１）上に設置した後、前記装置は、前記第一マーク（１０Ａ）を前記第二マーク（３０Ａ）と位置合わせすることによって組み立てることができる、請求項１に記載の差動インパルスコンベヤ。
【請求項９】
差動インパルスコンベヤ（７０）を支持する方法であって、
閉鎖部材（２６）と、前記閉鎖部材（２６）を貫通するアパーチャ（３４）と、近位端（３１）および遠位端（３９）を有するピニオンシャフト（３３）と、前記ピニオンシャフト（３３）の前記近位端（３１）に接続された第一の複数の歯（３５）を有するピニオンギヤ（３０）と、前記ピニオンシャフト（３３）の前記遠位端（３９）上の荷重支持部（１３３）とを有する第一本体（２０）を設けるステップと、
前記ピニオンギヤ（３０）の第一の複数の歯（３５）の二倍である第二の複数の歯（１５）を持つ内部リングギヤ（１０）を有する第二本体（１１）であって、前記第一本体（２０）と係合しかつそれを支持するように前記内部リングギヤ（１０）の開口を囲むランディング（１９８）をさらに有する第二本体（１１）を設けるステップと、
前記閉鎖部材（２６）を前記ランディング（１９８）と整列させ、前記第一本体（２０）を前記第二本体（１１）上に配置して、前記第一本体（２０）の前記ピニオンギヤの前記第一の複数の歯（３２）を、前記第二本体（１１）の前記内部リングギヤ（１０）の前記第二の複数の歯（１５）と係合させるステップと、
前記第二本体（１１）をそれと係合した前記第一本体（２０）により支持するステップと、
前記ピニオンシャフト（３３）の前記遠位端の前記荷重支持部（１３３）により往復動可能な構造体を支持するステップと、
前記ピニオンギヤ（３０）が前記内部リングギヤ（１０）内で公転しかつ自転するときに、前記構造体を直線経路に沿って往復動させるステップと、を備える方法。
【請求項１０】
前記ピニオンギヤ（３０）および前記内部リングギヤ（１０）を潤滑するために、前記第二本体内に潤滑剤を収容するように、前記第二本体（１１）の前記開口から前記内部リングギヤ（１０）の反対側に床（１１Ｃ）を設けるステップをさらに備える請求項９に記載の方法。
【請求項１１】
前記内部リングギヤ（１０）上に第一マーク（１０Ａ）を配置するステップと、
前記ピニオンギヤ（３０）上に第二マーク（３０Ａ）を配置するステップと、
前記第一本体（２０）を前記第二本体（１１）上に設置した後、前記第一マーク（１０Ａ）を前記第二マーク（３０Ａ）と位置合わせするステップと、をさらに備える請求項９に記載の方法。
【請求項１２】
前記第一本体（２０）の前記閉鎖部材（２６）と前記第二本体（１１）との間にシールを設けるステップをさらに備える請求項９に記載の方法。
【請求項１３】
往復動駆動モータを設けるステップと、
前記往復動駆動モータを差動インパルスコンベヤ（７０）に結合するステップと、
前記往復動駆動モータを作動させて、前記第二本体（１１）の前記荷重支持部（１３３）に支持された状態で前記差動インパルスコンベヤ（７０）を往復動させるステップと、をさらに備える請求項１２に記載の方法。
【手続補正２】
【補正対象書類名】明細書
【補正対象項目名】発明の名称
【補正方法】変更
【補正の内容】
【発明の名称】差動インパルスコンベヤ及び差動インパルスコンベヤを支持する方法